(57)【要約】【課題】映像を画面上に正常表示できないエラー発生要因を効果的に推測できる機能を有する映像監視システムを提供することにある。【解決手段】本実施形態の映像監視システムは、ネットワークを介してカメラから出力される映像データを含むデータを符号化して伝送し、バッファ部と、復号化部と、エラー処理部と、データ記録部とを具備する。前記バッファ部は前記伝送された前記データを格納する。前記復号化部は前記バッファ部に格納されたデータを復号化する。前記エラー処理部は前記復号化部の復号化処理時にエラー発生を検出する。前記データ記録部は、前記エラー処理部からの指示に応じて、前記バッファ部に格納されたデータから前記エラー発生に伴う関連データを抽出して記録する。【選択図】図１
2014207639.tif 000002
【特許請求の範囲】
【請求項１】
ネットワークを介してカメラから出力される映像を含むデータを符号化して伝送する手段と、
前記伝送された前記データを格納するバッファ手段と、
前記バッファ手段に格納されたデータを復号化する復号化手段と、
前記復号化手段の復号化処理時にエラー発生を検出するエラー処理手段と、
前記エラー処理手段からの指示に応じて、前記バッファ手段に格納されたデータから前記エラー発生に伴う関連データを抽出して記録するデータ記録手段と
を具備する映像監視システム。
【請求項２】
前記バッファ手段は、
前記伝送されたデータを１次的に格納する第１のバッファ手段と、
前記第１のバッファ手段から抽出された前記関連データを格納し、前記データ記録手段に転送するための第２のバッファ手段と
を含む請求項１に記載の映像監視システム。
【請求項３】
前記第２のバッファ手段は、
前記第１のバッファ手段に格納されたデータから、前記関連データの抽出が可能な時間分のデータを上書き動作により格納する請求項２に記載の映像監視システム。
【請求項４】
前記エラー処理手段は、
前記データ記録手段に記録された関連データをエラー解析処理用として使用する請求項１から３のいずれか１項に記載の映像監視システム。
【請求項５】
前記復号化手段により復号化されたデータまたは前記関連データに基づいて生成される画像データを画面上に表示する表示手段を有する請求項４に記載の映像監視システム。
【請求項６】
カメラから出力される映像を含むデータを符号化し、ネットワークを介して伝送する映像監視システムに適用するデコーダであって、
前記伝送された前記データを格納するバッファ手段と、
前記バッファ手段に格納されたデータを復号化する復号化手段と、
前記復号化手段の復号化処理時にエラー発生を検出するエラー処理手段と、
前記エラー処理手段からの指示に応じて、前記バッファ手段に格納されたデータから前記エラー発生に伴う関連データを抽出して記録するデータ記録手段と
を具備するデコーダ。
【請求項７】
前記バッファ手段は、
前記ネットワークを介して伝送されたデータを１次的に格納する第１のバッファ手段と、
前記第１のバッファ手段から抽出された前記関連データを格納し、前記データ記録手段に転送するための第２のバッファ手段と
を含む請求項６に記載のデコーダ。
【請求項８】
前記第２のバッファ手段は、
前記第１のバッファ手段に格納されたデータから、前記関連データの抽出が可能な時間分のデータを上書き動作により格納する請求項７に記載のデコーダ。
【請求項９】
前記エラー処理手段は、
前記データ記録手段に記録された関連データを、前記復号化手段により復号化してエラー解析処理用として使用する請求項６から８のいずれか１項に記載のデコーダ。
【発明の詳細な説明】
【技術分野】
【０００１】
本発明の実施形態は、映像監視システム及びデコーダに関する。
【背景技術】
【０００２】
近年、例えば防災情報配信システムに適用し、指定の監視箇所に設置したカメラからの映像をデジタル化（符号化データに変換）して、ＩＰネットワークを介してマルチキャスト伝送する映像監視システムが広く普及してきている。
【０００３】
映像監視システムは、ＩＰネットワークに接続されたデコーダにより伝送された符号化データを復号化し、モニタの画面上に表示する。これにより、例えば防災担当者は、モニタの画面上に表示される映像から、例えば監視箇所の周辺の気象状況や災害状況などを確認することが可能となる。
【先行技術文献】
【特許文献】
【０００４】
【特許文献１】特開２００７−４３３９０号公報
【発明の概要】
【発明が解決しようとする課題】
【０００５】
従来の映像監視システムにより、モニタの画面上で監視箇所の気象状況や災害状況などを確認できる。しかし、映像監視システムでは、モニタの画面上の映像の一部がノイズで表示できない場合や、全画面の映像が表示できないなどのエラー（障害）が発生することがある。従来から、各種のエラー処理方法が提案されているが、効果的にエラー発生要因を推測することは困難である。
【０００６】
そこで、本発明の目的は、映像を画面上に正常表示できないエラー発生要因を効果的に推測できる機能を有する映像監視システムを提供することにある。
【課題を解決するための手段】
【０００７】
本実施形態の映像監視システムは、ネットワークを介してカメラから出力される映像を含むデータを符号化して伝送する手段と、バッファ手段と、復号化手段と、エラー処理手段と、データ記録手段とを具備する。前記バッファ手段は前記伝送された前記データを格納する。前記復号化手段は前記バッファ手段に格納されたデータを復号化する。前記エラー処理手段は前記復号化手段の復号化処理時にエラー発生を検出する。前記データ記録手段は、前記エラー処理手段からの指示に応じて、前記バッファ手段に格納されたデータから前記エラー発生に伴う関連データを抽出して記録する。
【図面の簡単な説明】
【０００８】
【図１】実施形態に関する映像監視システムの構成を説明するためのブロック図。
【図２】実施形態に関するデコーダの構成を説明するためのブロック図。
【図３】実施形態に関するデコーダの動作を説明するためのフローチャート。
【発明を実施するための形態】
【０００９】
以下図面を参照して、実施形態を説明する。
【００１０】
［システムの構成］
図１に示すように、本実施形態の映像監視システムは、ネットワーク１に接続する端末側と映像監視側からなる。ネットワーク１は、相互通信可能な無線回線または有線回線で構成されており、例えばＬＡＮやイントラネット等のＩＰネットワークであり、または他の通信ネットワークでもよい。
【００１１】
端末側は複数のカメラ装置１０からなる。カメラ装置１０は、指定の監視箇所に設置されており、カメラ１１と周辺機器１２とから構成されている。周辺機器１２は、カメラ１１の動作を制御するカメラコントローラ１３、エンコーダ１４及び図示しない電源部を有し、ネットワーク１と無線または有線により接続している。エンコーダ１４は、カメラ１１から出力される映像信号（撮影映像）をデジタルの符号化データに変換する。周辺機器１２は、エンコーダ１４から出力される符号化データをネットワーク１にマルチキャスト伝送する。なお、符号化データは、映像データ、音声データ、及び映像フォーマットに含まれるカメラ名称や撮影日時などの文字データも含む。
【００１２】
一方、映像監視側は、カメラサーバ２０と、デコーダ３０と、操作用パーソナルコンピュータ（ＰＣ）５０とを有する。カメラサーバ２０は、映像監視側のメインコントローラであり、操作用ＰＣ５０からの選択信号に応じて、複数のカメラ装置１０の各エンコーダ１４の何れかをデコーダ３０に接続する制御を実行する。また、カメラサーバ２０は、カメラ装置１０から伝送される符号化データをストレージに蓄積する構成でもよい。
【００１３】
デコーダ３０は、後述するように、処理した映像データ（音声データ及び文字データを含む）をモニタ４０に出力する。モニタ４０は、画面上にカメラ１１に撮影された映像を表示する。具体的には、図２に示すように、デコーダ３０は、インターフェース部３１と、バッファ装置３２と、内部バス３３と、映像復号化部３４と、文字処理部３５と、画像合成部３６と、音声復号化部３７と、エラー処理部３８と、データ記録部３９とを有する。
【００１４】
インターフェース部３１は、伝送回線１００を介してネットワーク１に接続し、データの入出力を実行する。
【００１５】
バッファ装置３２は、例えばハードディスクドライブ（ＨＤＤ）から構成されており、１次バッファ部３２Ａ及び２次バッファ部３２Ｂを有する。１次バッファ部３２Ａは、映像復号化部３４、文字処理部３５及び音声復号化部３７による復号化処理に必要なデータの格納容量を有する。具体例としては、１次バッファ部３２Ａは、例えばカメラ１１による１週間分から２週間分の撮影時間に相当するデータ（映像と音声）を格納する格納容量を有する。本実施形態では、バッファ装置３２は２次バッファ部３２Ｂを含む。２次バッファ部３２Ｂは、後述するように、エラー処理の目的に応じた時間分（例えば数分）のデータで、１次バッファ部３２Ａから読み出されたデータを常に上書きモード（書き換え動作）で格納する。ここで、エラー処理とは、映像をモニタ４０の画面上に正常表示できないエラー発生（以下、イベントと表記する場合がある）に伴う処理である。
【００１６】
エラー処理部３８は、デコーダ３０の内部で発生するエラー処理と共に、前述したイベントに伴うエラー処理を実行する。データ記録部３９は、例えばフラッシュメモリやＳＳＤであり、エラー処理部３８の制御によりイベント用データ（エラー発生に伴う関連データ）を保存する。データ記録部３９は、複数のイベント分のデータを格納する容量を有する。
【００１７】
［デコーダの動作］
以下、図３のフローチャートを参照して、本実施形態のデコーダの動作を説明する。なお、本実施形態では、便宜的にカメラ装置１０は１台として取り扱う。
【００１８】
まず、カメラ装置１０は、カメラ１１から出力される映像信号（音声信号を含む）を、エンコーダ１４により符号化データ（以下単にデータ）に変換してネットワーク１にマルチキャスト伝送する。
【００１９】
デコーダ３０では、インターフェース部３１は、伝送回線１００を介してネットワーク１を経由して伝送されるデータを受信し、内部処理用に適したデータフォーマットに変換する（ステップＳ１）。バッファ装置３２は、インターフェース部３１で受信されたデータを１次バッファ部３２Ａに格納する（ステップＳ２）。
【００２０】
映像復号化部３４及び音声復号化部３７はそれぞれ、１次バッファ部３２Ａに格納されたデータから、カメラ１１により取得された映像及び音声を復号化して出力する（ステップＳ３）。一方、文字処理部３５は、１次バッファ部３２Ａに格納されたデータから、映像フォーマットに含まれるカメラ１１のカメラ名称や撮影日時などの文字データを抽出する。
【００２１】
後述するように、エラー発生が無ければ、画像合成部３６は、映像復号化部３４から出力される映像と、文字処理部３５から出力される文字データとを合成してモニタ４０に出力する（ステップＳ４のＮＯ，Ｓ８）。これにより、モニタ４０の画面上には、カメラ１１により撮影された映像及び撮影日時などの文字列が表示される。また、音声復号化部３７は、復号化した音声を図示しないスピーカ（モニタ４０の近傍に配置）に出力する。これにより、モニタ４０の画面上に表示された映像と音声とを視聴することができる。
【００２２】
ここで、エラー処理部３８は、映像復号化部３４、文字処理部３５及び音声復号化部３７の状態を監視し、復号化エラーの発生（イベント）を検知する（ステップＳ４）。具体的には、エラー処理部３８は、例えば映像復号化部３４での復号化エラーの発生（イベント）を検知すると、１次バッファ部３２Ａに格納されたデータから、イベント前後に格納されたデータを抽出して２次バッファ部３２Ｂに書き込む（ステップＳ４のＹＥＳ）。
【００２３】
さらに、エラー処理部３８は、イベントの検知をデータ記録部３９に通知する。データ記録部３９は、２次バッファ部３２Ｂからデータを記録し、同時にエラー処理部３８からのイベント内容を示すイベント情報を関連付けて記録する（ステップＳ５）。ここで、データ記録部３９に記録されるデータは、エラー発生に伴う関連データとしてイベント用データと総称する。なお、イベント情報は、例えばイベント発生日時や映像復号化部３４での復号化エラーを示す情報である。また、データ記録部３９は、複数のイベント分のイベント用データを保存可能である。
【００２４】
次に、映像監視側では、操作用ＰＣ５０はエラー処理部３８からのイベント通知により、映像をモニタ４０の画面上に正常表示できないエラーが発生したことを認識する。デコーダ３０は、操作用ＰＣ５０からの指示に応じて、データ記録部３９に保存されたイベント用データは、映像復号化部３４及び音声復号化部３７により復号化する（ステップＳ６）。また、データ記録部３９に保存されたイベント用データは、インターフェース部３１を経由して、操作用ＰＣ５０に伝送される。
【００２５】
画像合成部３６は、映像復号化部３４から出力される映像と、文字処理部３５から出力される文字データとを合成してモニタ４０に出力する。これにより、モニタ４０の画面上には、検知されたイベント前後の映像及びその撮影日時などの文字列が表示される。また、音声復号化部３７は、復号化した音声をスピーカに出力する。これにより、モニタ４０の画面上に表示された映像と、それに関連する音声とを視聴することができる。従って、これらのイベント用データを再生することにより、例えば映像復号化部３４での復号化エラー発生の要因を推測するエラー解析処理を実行できる（ステップＳ７）。
【００２６】
以上のようにして、本実施形態のデコーダであれば、映像をモニタ４０の画面上に正常表示できないエラーが発生した場合に、エラー発生に伴う関連データであるイベント用データを保存できる。従って、この保存したイベント用データを復号化してモニタ４０やスピーカに再生することにより、イベントの要因と推測できる映像及び音声を確認できる。
【００２７】
具体的には、本実施形態を例えば防災情報配信システムに適用している場合に、前述したようなイベントを検知した場合に、イベント前後の映像及び音声の再生からカメラ装置１０の設置場所で、例えば地震発生の様子を確認できる。この場合には、イベントの要因は、地震によりカメラ装置１０で例えばカメラ１１の損傷によるものと推測できる。また、イベント前後の映像及び音声から、特に気象状況などによりカメラ装置１０が損傷するような状況でなければ、例えばネットワークの故障であると推測できる。この場合、例えば、イベント用データに含まれる故障発生直前の映像と、カメラサーバ２０により保存されている映像とを比較することで、ネットワークの故障を推定できる。
【００２８】
以上要するに、エラー発生時の映像や音声を含むイベント用データを保存することにより、当該イベント用データを再生することで、映像を画面上に正常表示できないエラー発生要因を推測することが可能となる。従って、信頼性の高い映像監視システムを構築することが可能となり、例えば高信頼性を要求される防災情報配信システムに適用する場合に有効である。
【００２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１…ネットワーク、１０…カメラ装置、１１…カメラ、１２…周辺機器、
１３…カメラコントローラ、１４…エンコーダ、２０…カメラサーバ、
３０…デコーダ、３１…インターフェース部、３２…バッファ装置、
３３…内部バス、３４…映像復号化部、３５…文字処理部、３６…画像合成部、
３７…音声復号化部、３８…エラー処理部、３９…データ記録部。
【図１】
2014207639.tif 000003
【図２】
2014207639.tif 000004
【図３】
2014207639.tif 000005